(57)【特許請求の範囲】
【請求項１】
浄水場のろ過池の水質を水質検出器で計測する水質計測器において、
水中に没せられる水質検出器の検出部本体内に設けられ、試料水中に光線を透過窓を介して照射する第１光源体と、この第１光源体からの照射光線軸と直交する前記検出部本体内に設けられ、前記第１光源体からの光線の照射により水中の粒子で散乱した散乱光を検出する受光素子と、この受光素子の散乱光受光側に設けられた受光窓と、この受光窓と前記透過窓のそれぞれの水中側に被覆された光触媒反応物質と、前記受光素子と対向配置された前記検出部本体内に設けられ、前記受光窓と透過窓に照射され、それら各窓に被覆された前記光触媒反応物質に光触媒反応を起こさせる光線を発光する第２光源体とからなり、第１、第２光源体及び受光素子は、前記検出部本体内に一体的に設けられることを特徴とする水質計測器。
【請求項２】
前記第１光源体は、レーザー光源または可視光源からなることを特徴とする請求項１記載の水質計測器。
【請求項３】
前記第２光源体は、波長600nm以下の光源からなることを特徴とする請求項１、２記載の水質計測器。
【請求項４】
前記受光素子は、波長600nm以上の単色波長だけに感度を有することを特徴とする請求項１記載の水質計測器。
【請求項５】
前記光触媒反応物質は、二酸化チタンからなることを特徴とする請求項１記載の水質計測器。
【発明の詳細な説明】
【０００１】
【発明の属する技術分野】
この発明は、水質検出器の光学部の洗浄に改良を加えた浄水場の急速ろ過池における水質計測器に関する。
【０００２】
【従来の技術】
日本の浄水場における現状の主プロセスは、凝集沈殿＋砂ろ過＋塩素消毒である。原水中に含まれている濁質分や、近年問題となっているクリプトスポリジウムなどの原虫は、凝集沈殿＋砂ろ過で除去する必要がある。その中でも、ろ過池は、マイクロフロックや有機物の吸着、原虫などの漏出の安全弁的な機能を果たしている重要なプロセスである。ろ過池は、これらの機能を維持するため、洗浄を行う必要があり、この洗浄は、ろ過池の運転管理上最も重要である。ろ過池の洗浄は、一般的には、ろ過継続時間およびろ過抵抗値到達時に実施しており、物理的な要因のみが指標として用いられているのが実状である。一方、上述したとおり、クリプトスポリジウムの混入といった問題点があり、水質的な面からも、ろ過池の運転管理を行って行く必要が出てきている。厚生省では、このような背景の下、ろ過池の水質やろ過池のろ過操作、洗浄操作などについて、以下のような通達を出している。
【０００３】
（１）共通事項：各ろ過池ごとに、十分調整された濁度計を用いて濁度を測定すること、
（２）ろ過池流出水の水質：ろ過池流出水の濁度の常時把握およびその濁度を0.1度に維持すること、
（３）洗浄排水の水質：最終濁度2度以下を目標とすること、
（４）ろ過開始直後の水質：ろ過池流出水0.1度になるまで捨て水を実施すること。
【０００４】
ろ過機能を維持するには、適切な洗浄方法で、ろ過池を洗浄してやる必要がある。ろ過池洗浄方式には、表面洗浄、逆洗水による洗浄、両者の組み合わせがあり、ろ過池が砂層のみの単層ろ過か、砂層とアンスラサイトを組み合わせた複合ろ過かによって洗浄方法や時間、洗浄水流量が変わってくる。
【０００５】
【発明が解決しようとする課題】
上述した厚生省からの通達によるクリプトスポリジウム暫定対策指針の概略（１）〜（４）の中で、特に（３）に示した洗浄排水濁度の最終濁度を２度以下にするためには、プロセス用の濁度計が必要になる。しかしながら、現状の急速ろ過池の洗浄排水濁度を連続監視している例はほとんどない。
【０００６】
この理由としては、以下に示す問題点をクリアする必要があるためである。
（１）中塩素処理を行うと工程水中の鉄、マンガンが塩素剤と反応して析出し、計測装置に付着して電極や光学部が汚れる。
（２）ろ過池の構造上、洗浄排水を測定するためには、ろ過池付近に水質検出器を設置しなければならない。（投げ込み式、浸漬式）
上記検出器、特にプロセス用水質計測器では、検水中の浮遊物質が付着したり、水温と測定器の温度差により、光学面に気泡が付着し易くなるため洗浄機構を具備している。特に浸漬形の水質計測器には、ブラシ洗浄機構、ワイパー洗浄機構などによって光学部を洗浄している。しかしながら、洗浄機構を設けると装置全体が大きくなる割に、洗浄効果があまり期待できない問題がある。
【０００７】
この発明は上記の事情に鑑みてなされたもので、機械的洗浄機構に比較して検出部を小型化することができるとともに、非接触で検出部の洗浄を行って、検出部の耐久性の向上を図り、かつ検出部への気泡などの付着が防止できる水質計測器を提供することを課題とする。
【０００８】
【課題を解決するための手段】
この発明は、上記の課題を達成するために、第１発明は、浄水場のろ過池の水質を水質検出器で計測する水質計測器において、
水中に没せられる水質検出器の検出部本体内に設けられ、試料水中に光線を透過窓を介して照射する第１光源体と、この第１光源体からの照射光線軸と直交する前記検出部本体内に設けられ、前記第１光源体からの光線の照射により水中の粒子で散乱した散乱光を検出する受光素子と、この受光素子の散乱光受光側に設けられた受光窓と、この受光窓と前記透過窓のそれぞれの水中側に被覆された光触媒反応物質と、前記受光素子と対向配置された前記検出部本体内に設けられ、前記受光窓と透過窓に照射され、それら各窓に被覆された前記光触媒反応物質に光触媒反応を起こさせる光線を発光する第２光源体とからなり、第１、第２光源体及び受光素子は、前記検出部本体内に一体的に設けられることを特徴とするものである。
【０００９】
第２発明は、前記第１光源体が、レーザー光源または可視光源からなることを特徴とするものである。
第３発明は、前記第２光源体が、波長600nm以下の光源からなることを特徴とするものである。
第４発明は、前記受光素子が、波長600nm以上の単色波長だけに感度を有することを特徴とするものである。
第５発明は、前記光触媒反応物質が、二酸化チタンからなることを特徴とするものである。
【００１０】
【発明の実施の形態】
以下この発明の実施の形態を図面に基づいて説明する。図１はこの発明の実施の形態を示す構成説明図で、この実施の形態では、レーザーを光源としたネフェロメトリー（側方散乱光法）の濁度計を例にとって説明する。図１において、１０は濁度計の検出部本体で、この検出部本体１０の内部には、半導体レーザーダイオード（波長：670nm）１１が収納されている。このダイオード１１は赤色レーザー光を発光し、そのレーザー光１２は、凸レンズ１３、二酸化チタンコーティング膜１４が被覆されたレーザー透過窓１５を透過して試料水中に照射される。１６はシリコンフォトセルからなる単色受光素子（単色波長650nmだけに分光感度のある素子）で、この受光素子１６は、レーザー光１２と直交する検出部本体１０内に設けられる。受光素子１６の受光部には、二酸化チタンコーティング膜１７が被覆された受光窓１８を設ける。
【００１１】
１９は受光素子１６と対向配置された検出部本体１０内に設けられる分光ランプ（例えば、低圧水銀ランプやブラックライト）で、この分光ランプ１９は、波長600nm以下の光線２０を凹レンズ２１を介して二酸化チタンコーティング膜１４、１７で被覆されている透過窓１５と受光窓１８に照射する。透過窓１５と受光窓１８に被覆されている二酸化チタンは、波長400nm以下の光線により光触媒反応を起こし、強い酸化力により付着物質を分解する機能をもっている。
【００１２】
上記のように構成された濁度計において、半導体レーザーダイオード１１から細く収束された波長670nmの赤色レーザー光線が試料中に照射される。試料中に照射された光束内に捕捉された濁度成分粒子からの反射／屈折による散乱光が光束と直角方向に配置された受光素子１６によって検出される。受光素子１６は検出した散乱光の強度に比例した電気出力を送出する。
【００１３】
受光素子１６は単色波長650nmだけに分光感度のある素子であるため、600nm以下の短い波長の光は吸収できない。このため、分光ランプ１９から発光される波長600nm以下の光が受光素子１６に照射されても吸収されないが、レーザー光１２の光束内に捕捉された濁度成分粒子からの反射／屈折による散乱光は選択的に吸収でき、分光ランプ１９を連続点灯下においても影響（バックグランド）されることなく濁度測定ができる。
【００１４】
一方、分光ランプ１９から発光される波長600nm以下の光が、透過窓１５と受光窓１８に被覆されている二酸化チタンコーティング膜１４、１７に照射されると、光触媒反応を起こし、強い酸化力によりコーティング膜に付着した物質を分解して、両窓１５、１８の汚れを洗浄する。このため、濁度測定が常に良好の状態で行うことができる。なお、上記実施の形態においては、光触媒反応を起こす物質として二酸化チタンを例に掲げたが、波長600nmで光触媒反応を起こす物質であればどのようなものでも良い。また、上記実施の形態では、ネフェロメトリーの場合について述べて来たが、透過光測定、前方散乱光測定、後方散乱光測定等の各方式に適用することができる。
【００１５】
上記半導体レーザー光線を使用する水質計測器に代えて、ハロゲンランプ等の可視光を光源とした水質計測器を使用する場合において、透過窓と受光窓を具備している測定系では、受光素子１６に影響を与えてしまうため、分光ランプ１９の連続点灯照射はできない。従って、透過窓１５と受光窓１８の洗浄を行うときには、図示しない測定回路によって制限する。例えば、シーケンス上で洗浄開始時に、その毎正時の出力をホールド状態に分光ランプ１９を必要時間点灯することで測定データに影響しないようにする。なお、この機能は、透過光測定、前方散乱光測定、後方散乱光測定等の各方式に適用することができる。
【００１６】
図２は濁度計をろ過池内に設置したときの概略構成図で、図２において、３１はろ過池、３２は洗浄排水用トラフ、３３は前述した検出部本体１０に設けられた遮光カバー、３４は防水管、３５は中継ボックス、３６は演算増幅器装置である。
【００１７】
【発明の効果】
以上述べたように、この発明によれば、透過窓と受光窓に二酸化チタンのコーティング膜を形成することにより、機械的洗浄機構を設ける必要がないために、検出部本体の小型化を図ることができるとともに、非接触で窓の洗浄ができるため、検出部の耐久性を向上させることができる。また、二酸化チタン膜は、分光ランプからの光照射により、表面が親水化され気泡等の付着が防止できる利点も
ある。
【図面の簡単な説明】
【図１】この発明の実施の形態を示す構成説明図。
【図２】濁度計をろ過池内に設置したときの概略構成図。
【符号の説明】
１０…検出部本体
１１…半導体レーザーダイオード
１２…レーザー光
１３…凸レンズ
１４、１７…二酸化チタンコーティング膜
１５…レーザー透過窓
１６…単色受光素子
１８…受光窓
１９…分光ランプ
２０…波長600nm以下の光線
２１…凹レンズ
【図１】
0003817936.tif 000002
【図２】
0003817936.tif 000003